(57)【特許請求の範囲】
【請求項１】
モーターにおいて、
電源が供給される固定子巻線部と；
該固定子巻線部にかかる過負荷の電源を遮断するための過負荷遮断器と；
前記固定子巻線部の表面に固定され、前記過負荷遮断器が着脱可能に結合される過負荷遮断器結合部、及び外表面に形成される線形のヤーンガイドグルーブを持つ固定ブラケットと；
前記ヤーンガイドグルーブに収容され、前記固定ブラケットと前記固定子巻線部を巻いて締結するヤーンと；
を含み、
前記過負荷遮断器は前記固定ブラケットに向かって突出した接続ピンを含めて、
前記固定ブラケットは前記過負荷遮断器が載置される載置部と、前記接続ピンが挿入されるピン挿入部と、該ピン挿入部に設けられて前記接続ピンを前記固定子巻線部の端部に接続する接続端子とを含むことを特徴とするモーター。
【請求項２】
前記固定ブラケットは絶縁の材質であることを特徴とする、請求項１の記載のモーター。
【発明の詳細な説明】
【技術分野】
【０００１】
本発明はモーターに係わり、より詳しくは固定子の巻線部に過負荷遮断部を結合する構造を特徴とするモーターに関するものである。
【背景技術】
【０００２】
モーターは空気調和機や冷蔵庫などの冷却装置用の回転圧縮機を含む様々な機器に使用される駆動装置である。
【０００３】
一般にモーターは電源が印可されて磁気場を形成する固定子を含む。固定子には鉄心に通電用のコイルが巻いてあり、モーターの作動時、通電用のコイルに過電流が流れることを防止するための過負荷遮断器が装着される。  
【０００４】
しかし従来のモーターは過負荷遮断器の接続部に通電用のコイルの接続端部を直接に接続した後、過負荷遮断器を通電用のコイルに乗せた状態で、ヤーン（yarn）と言う糸で過負荷遮断器と通電用のコイルを一緒に結ぶ。そのため製造時間と人力の増加し、コストが嵩む問題点がある。
【０００５】
また通電用のコイルに結合された過負荷遮断器が不安定に支持されているので、品質が悪くなる問題点がある。
【発明の開示】
【発明が解決しようとする課題】
【０００６】
したがって本発明の目的は過負荷遮断器を巻線部に容易に結合できるモーターを提供することである。
【０００７】
また本発明の他の目的は過負荷遮断器を巻線部に強固に結合できるモーターを提供することである。
【課題を解決するための手段】
【０００８】
前記目的は本発明によって、モーターにおいて、電源が供給される固定子巻線部と；該固定子巻線部にかかる過負荷の電源を遮断するための過負荷遮断器と；該固定子巻線部の表面に固定されて、該過負荷遮断器が着脱可能に結合される過負荷遮断器結合部と、外表面に形成される線形のヤーンガイドグルーブを持つ固定ブラケットと；該ヤーンガイドグルーブに収容して該固定子巻線部に巻いて締結するヤーンと；を含むことを特徴とするモーターによって達成される。
【０００９】
該過負荷遮断器は該固定ブラケットに向かって突出した接続ピンを含めて、該固定ブラケットは該過負荷遮断器が載置される載置部と、該接続ピンが挿入されるピン挿入部と、該ピン挿入部に設けられて該接続ピンを該固定子巻線部の端部に接続する接続端子とを含む。
【００１０】
そして該固定ブラケットは絶縁の材質である。
【発明の効果】
【００１１】
本発明によれば過負荷遮断器を巻線部に容易に結合して、モーターのコストダウンができる。
【００１２】
また過負荷遮断器を巻線部に強固に結合して、モーターの品質を向上することができる。
【発明を実施するための最良の形態】
【００１３】
以下本発明について添付図面を参照して詳しく説明する。
【００１４】
本発明によるモーター１３０が適用される回転圧縮機１００は図１に示されているように、回転圧縮機１００の外観を形成するケイシング１１０と、ケイシング１１０の内部に設けられて冷媒を圧縮する圧縮ユニット１２０と、電源が印可されてから発生する回転力を圧縮ユニット１２０に伝達するモーター１３０を含む。
【００１５】
ケイシング１１０は圧縮された高圧の冷媒の吐出しを案内する冷媒吐出部１１１と、圧縮ユニット１２０に接続され冷媒の流入を案内する冷媒吸入部１１２を含む。
【００１６】
圧縮ユニット１２０は図１に示されているように、冷媒の圧縮が行われる圧縮室１２１ａを持つシリンダー１２１と、シリンダー１２１の上部に結合される上部プランジー１２２と、シリンダー１２１の下部に結合される下部プランジー１２３と、圧縮室１２１ａの内で偏心に設置されモーター１３０から回転力をもらって冷媒を圧縮するローラー１２４を含む。
【００１７】
本発明によるモーター１３０は図１及び図２に示されているように、電源が供給される固定子巻線部１４１を持つ固定子１４０と、固定子１４０に回転可能に設置される回転子１５０と、棒の形を持って一端は回転子１５０に結合されて他端は圧縮ユニット１２０を貫通するよう設置され回転子１５０と一緒に回転する回転軸１６０と、固定子巻線部１４１にかかる過負荷の電源を遮断するための過負荷遮断器１７０と、固定子巻線部１４１の表面に固定される固定ブラケット１８０を含む。
【００１８】
固定子１４０は図１に示されているように、電源が印可されて磁気場を形成するために磁束が通じやすい鉄心と通電用のコイルが巻かれた固定子巻線部１４１を含む。
【００１９】
固定子巻線部１４１は図２及び図３に示されているように、通電用のコイルが所定の形（同心円）で固定されるようにヤーン１４２と呼ばれる糸や紐で結ばれる形で設けられ、固定ブラケット１８０によって過負荷遮断器１７０と電気的に間接に接続される接続端部１４１ａを含む。
【００２０】
過負荷遮断器１７０は図３に示されているように、固定ブラケット１８０に向かって突出し、固定ブラケット１８０に結合する時、固定ブラケット１８０を通じて固定子巻線部１４１の接続端部１４１ａと電気的に間接に接続される接続ピン１７１を含む。
【００２１】
本発明の一実施例として、過負荷遮断器１７０は固定子巻線部１４１に過電流が流れることを避けるためにバイメタル式で作動する大容量の過電流遮断器（ＯＬＰ：Over Load Protector）を含むことが好ましい。
【００２２】
固定ブラケット１８０は図４に示されているように、過負荷遮断器１７０が着脱可能に結合される過負荷遮断器結合部１８１と、過負荷遮断器結合部１８１の中央に形成され過負荷遮断器１７０が載置される載置部１８２と、過負荷遮断器結合部１８１の外表面に形成される直線状のヤーンガイドグルーブ１８３と、載置部１８２から過負荷遮断器結合部１８１の内部を通じて過負荷遮断器結合部１８１の外表面に延長される接続端子１８４を含む。
【００２３】
これにより、固定子巻線部１４１に結合される固定ブラケット１８０に過負荷遮断器１７０をワンタッチ（one-touch）式で容易に結合して、モーター１３０のコストダウンが達成できる。
【００２４】
本発明の一実施形態として、固定ブラケット１８０は絶縁の材質であることが好ましい。
【００２５】
過負荷遮断器結合部１８１には図４に示されているように、載置部１８２及びヤーンガイドグルーブ１８３が形成されて、載置部１８２には接続ピン１７１が挿入されて噛合うピン挿入部１８２ａが形成される。
【００２６】
本発明の一実施形態として、載置部１８２は過負荷遮断器１７０の形状に対応するように形成されることが好ましい。
【００２７】
ヤーンガイドグルーブ１８３は本発明の一実施形態として図４に示されているように、載置部１８２の両側部に載置部１８２から離れて過負荷遮断器結合部１８１の板面に形成されることが好ましい。
【００２８】
一方、図３に示されているように、ヤーンガイドグルーブ１８３にはヤーン１４２が収容されて、固定ブラケット１８０と固定子巻線部１４１はヤーンガイドグルーブ１８３に収容されるヤーン１４２に巻かれて締結される。
【００２９】
これによって、固定ブラケット１８０を固定子巻線部１４１にヤーン１４２で強固に結合して、固定ブラケット１８０に結合された過負荷遮断器１７０の支持の状態を安定に保持できる。
【００３０】
ピン挿入部１８２ａに設けられた接続端子１８４は、過負荷遮断器１７０の接続ピン１７１を固定子巻線部１４１の接続端部１４１ａに接続する。即ち接続ピン１７１がピン挿入部１８２ａに結合された状態で接続端部１４１ａと接続ピン１７１を相互に通電させる。
【００３１】
これによって、固定ブラケット１８０は固定子巻線部１４１にヤーン１４２で強固に結合され、過負荷遮断器１７０は固定ブラケット１８０に着脱できるように結合されて、過負荷遮断器１７０を固定子巻線部１４１に強固に結合しながらも組立の工程にかかる人力と時間を節減できる。
【００３２】
このような構成を有する本発明によるモーター１３０の過負荷遮断器１７０の組立過程を図１〜図４を参照して説明する。
【００３３】
まず固定子１４０の上部に設けられた固定子巻線部１４１に固定ブラケット１８０を配置して、ヤーンガイドグルーブ１８３に収容されるヤーン１４２で固定ブラケット１８０と固定子巻線部１４１を結合する。
【００３４】
次に固定子巻線部１４１の接続端部１４１ａを固定ブラケット１８０の接続端子１８４に嵌め込んで、過負荷遮断器１７０の接続ピン１７１を固定ブラケット１８０の載置部１８２に形成されたピン挿入部１８２ａに嵌め込んで接続ピン１７１が接続端子１８４に噛合うようにする。これにより接続ピン１７１と接続端部１４１ａは接続端子１８４を通じて相互に通電できる。
【００３５】
これによって本発明によれば、過負荷遮断器１７０を固定子巻線部１４１に容易に結合して、モーター１３０のコストダウンが達成できる。
【００３６】
また過負荷遮断器１７０を固定子巻線部１４１に強固に結合することで、モーター１３０の品質を向上することができる。
【図面の簡単な説明】
【００３７】
【図１】本発明によるモーターが適用される回転圧縮機を示した構成図である。
【図２】図１の固定子巻線部に結合される固定ブラケット及び過負荷遮断器を示した斜視図である。
【図３】図２の“Ａ”の領域の結合方式を拡大して示した分解斜視図である。
【図４】図３の固定ブラケットを示した斜視図である。
【符号の説明】
【００３８】
１００        回転圧縮機
１１０        ケイシング
１２０        圧縮ユニット
１３０        モーター
１４０        固定子
１４１        固定子巻線部
１４１ａ        接続端部
１４２        ヤーン
１５０        回転子
１６０        回転軸
１７０        過負荷遮断器
１７１        接続ピン
１８０        固定ブラケット
１８１        過負荷遮断器結合部
１８２        載置部
１８２ａ        ピン挿入部
１８３        ヤーンガイドグルーブ
１８４        接続端子
【図１】
0005393035.tif 000002
【図２】
0005393035.tif 000003
【図３】
0005393035.tif 000004
【図４】
0005393035.tif 000005